(57)【要約】【課題】  簡単な操作により、希望する受信チャンネルを速やかに選択して切り替え可能なリモコン機能付き携帯電話機を提供する。【解決手段】  携帯電話機（１０）のテレビ受信チャンネル切り替え用リモコン機能が起動されると、携帯電話機（１０）の制御部は内蔵ＴＶチューナーを起動して１ｃｈから１２ｃｈまで各チャンネルを受信し、表示部（１４）に各チャンネルの受信映像をサムネイル表示する。使用者が表示部（１４）にサムネイル表示されている各チャンネルの映像を見ながら所望のチャンネルを選択すると、制御部（１１）はリモコン送信部（１２）を制御して該選択したチャンネル情報を赤外線データとして送出する。ＴＶ（３０）は、リモコン送信部からの赤外線リモコンデータ（１２−１）をリモコン受光部（３１）を介して受信することにより、受信チャンネルを前記使用者によって選択されたチャンネルに切り替える。【選択図】      図４
2005150831.tif 000002
【特許請求の範囲】
【請求項１】
リモコン機能およびテレビ受信機能を内蔵した携帯電話機において、
離れた位置にあるテレビ受信機の受信チャンネルを前記リモコン機能により切り替えるチャンネル切り替え機能と、該チャンネル切り替え機能が設定されているとき、前記内蔵するテレビ受信機能により受信可能な複数のチャンネルの映像を当該携帯電話機の表示部に同時に表示するサムネイル表示機能と、該サムネイル表示機能により表示されている映像の中から選択された映像に対応するチャンネルを選択するチャンネル選択機能とを備え、
前記チャンネル切り替え機能は、前記チャンネル選択機能により選択されたチャンネル情報を、前記リモコン機能を用いて前記離れた位置にあるテレビ受信機に送信することにより前記テレビ受信機の受信チャンネルを前記選択されたチャンネルに切り替える機能を有していることを特徴とする携帯電話機。
【請求項２】
前記携帯電話機に内蔵されたテレビ受信機能は、一つのＴＶチューナーを備えており、前記サムネイル表示機能が設定されているときには、該一つのＴＶチューナーにより時分割で各チャンネルの１フレーム分を順次断続的に受信し、他のチャンネルを受信している間は受信した１フレーム分の画像を前記表示部の該当する表示位置に静止表示させる機能を有していることを特徴とする請求項１に記載の携帯電話機。
【請求項３】
前記携帯電話機に内蔵されたテレビ受信機能は、複数のＴＶチューナーを備えており、前記サムネイル表示機能が設定されているときには、前記複数のＴＶチューナーによりチャンネル毎に分担して受信し、該受信した映像を前記表示部の該当する表示位置に表示させる機能を有していることを特徴とする請求項１に記載の携帯電話機。
【請求項４】
前記チャンネル選択機能は、前記表示部にサムネイル表示されている各チャンネルの受信映像が、該表示部に表示されているカーソルにより指定されたことを検出して、該指定された受信映像に該当するチャンネルを選択する機能を備えていることを特徴とする請求項１〜３のいずれかに記載の携帯電話機。
【請求項５】
前記表示部にサムネイル表示されている各チャンネルの受信映像には、表示されているチャンネルを識別可能な番号が同時に表示されており、前記チャンネル選択機能は、前記各チャンネルの識別番号と対応して設定されている携帯電話機の操作キーボタンが押下されたことを検出して、該押下された操作キーボタンに対応するチャンネルを選択する機能を備えていることを特徴とする請求項１〜３のいずれかに記載の携帯電話機。
【発明の詳細な説明】
【技術分野】
【０００１】
本発明は、リモコン機能付き携帯電話機に関し、特に、テレビ受像機の受信チャンネルを遠隔操作により切り替えることができるリモコン機能付き携帯電話機に関する。
【背景技術】
【０００２】
近年、携帯電話機には様々な機能が搭載されてきているが、赤外線発光素子等を用いたリモートコントロール機能が搭載されたものは既に製品化されており、携帯電話の新しい使い方として広く認識されている。このリモコン機能によりテレビ（ＴＶ）、ビデオ、カラオケ等の各種ＡＶ機器を操作することが可能である（特許文献１〜２等参照）。
【０００３】
しかし、この携帯電話のリモコン機能によってＴＶのチャンネル選択を行う場合、実際にチャンネルを選択してＴＶに画像を映し出すまで、具体的にどのような番組内容を放送しているのかが判らないため、現在放送されている番組内容を全て把握して所望のチャンネルを決定するには、チャンネルを次々に切り替える必要がある。従来のＴＶリモコンと同様のこのような方法は、チャンネル決定までに時間がかかるだけでなく、頻繁にチャンネル切り替えが行われると、一緒に視聴中の他人にとっては迷惑な行為となる。
【０００４】
一方、特許文献３では、携帯電話機にテレビの放送番組を受信可能な受信装置を内蔵し、携帯電話機内の記憶部にダウンロードされた番組表を表示部に表示させることにより各チャンネルの放送番組を確認し、その中から視聴を希望するチャンネル番号を選択して内蔵テレビ受信装置により視聴する方法、あるいは表示部に表示された番組表を基にして選択したチャンネル情報を、赤外線、無線、超音波等により別途配設されたテレビ側に送信して、該テレビの受信チャンネルを遠隔操作により切り替える方法が提案されている。
【０００５】
【特許文献１】特開２００２−７８０４２号公報
【特許文献２】特開２００３−７８９７７号公報
【特許文献３】特開２００２−２３２５９８号公報
【発明の開示】
【発明が解決しようとする課題】
【０００６】
上記特許文献３に記載の方法によれば、予めサーバ等からダウンロードしたテレビ番組表を携帯電話機の表示部に表示することにより、視聴したい番組を選択できるので、チャンネルを次々に切り替える必要性は少ないが、ユーザは、携帯電話機の表示部に表示された番組が希望の番組でない場合には、操作キーにより番組表を移動（スクロール）させて希望の番組を探さなければならず、その場合には操作が煩雑となり、希望チャネルを決定するまでには時間もかかってしまう。さらに、テレビ番組表をサーバ等から予めダウンロードして、携帯電話機内の記憶部に格納しておく必要があり、ダウンロードの費用および手間がかかるという問題もある。
【０００７】
本発明の目的は、上記問題点に鑑み、テレビのチャンネルを遠隔操作により切り替えることができるリモコン機能付き携帯電話機において、簡単な操作により、希望するテレビチャンネルを速やかに選択して切り替えることが可能なリモコン機能付き携帯電話機を提供することにある。
【課題を解決するための手段】
【０００８】
本発明は、リモコン機能およびテレビ受信機能を内蔵した携帯電話機において、離れた位置にあるテレビ受信機の受信チャンネルを前記リモコン機能により切り替えるチャンネル切り替え機能と、該チャンネル切り替え機能が設定されているとき、前記内蔵するテレビ受信機能により受信可能な複数のチャンネルの映像を当該携帯電話機の表示部に同時に表示するサムネイル表示機能と、該サムネイル表示機能により表示されている映像の中から選択された映像に対応するチャンネルを選択するチャンネル選択機能とを備え、前記チャンネル切り替え機能は、前記チャンネル選択機能により選択されたチャンネル情報を、前記リモコン機能を用いて前記離れた位置にあるテレビ受信機に送信することにより前記テレビ受信機の受信チャンネルを前記選択されたチャンネルに切り替える機能を有していることを特徴とする。
【０００９】
本発明によるリモコン機能およびテレビ受信機能を内蔵した携帯電話機は、備え付けテレビで受信中のチャンネルを、携帯電話機に内蔵するリモコン機能によって切り替える操作が設定されたとき、受信可能な各チャンネルの映像（仮に１ｃｈから１２ｃｈとする）を、携帯電話機に内蔵するテレビチューナーで例えば時分割で受信し、携帯電話機の表示部に全てサムネイル（thumbnail）表示させる。使用者はそのサムネイル画像を見ながら所望のチャンネルを選択して、携帯電話機から例えば赤外線でリモコンデータをテレビのリモコン受光部に送信することでチャンネルを切り替えることができ、ＴＶのチャンネル切り替え作業を迅速かつ簡易に行うことが可能となる。
【発明の効果】
【００１０】
本発明によれば、使用者はＴＶのチャンネルの切り替え操作を行う前に、受信可能な全てのチャンネルの内容が判る為、迅速に所望のチャンネルを選択できる効果がある。
【００１１】
また、使用者が所望のチャンネルを即時に選択する為、同時に視聴している周囲の人は備え付けのＴＶのチャンネルが次々に切り替わる不快さを感じなくて済む効果がある。
【００１２】
また、放送番組の内容をサーバ等からダウンロードして携帯電話機内のメモリに記憶する必要もないので、そのための費用あるいは手間も不要である。
【発明を実施するための最良の形態】
【００１３】
図１は、本発明の実施形態を示すＴＶ受信及びリモコン機能付き携帯電話機の構成図である。
【００１４】
本実施形態の携帯電話機（１０）は、制御部（１１）、リモコン送信部（１２）、ＴＶチューナー（１３）、表示部（１４）、操作部（１５）、送受信部（１６）、メモリ（１７）、音声系制御部（１８）、スピーカ（１９）、レシーバ（２０）、マイク（２１）を有している。このなかで、制御部（１１）、表示部（１４）、操作部（１５）、送受信部（１６）、メモリ（１７）、音声系制御部（１８）、スピーカ（１９）、レシーバ（２０）、マイク（２１）は従来の携帯電話機において通常備えられているものであり、本実施形態におけるリモコン機能に関連する部分を除けば従来と同様の構成である。以下各ブロックの機能について簡単に説明する。
【００１５】
リモコン送信部（１２）は、ＴＶ、ビデオなどのＡＶ機器に対して制御部（１１）からの操作データを赤外線データ等に変換して送信するブロックであり、ＡＶ機器の電源のオン・オフ、テレビチャンネル切り替え、あるいは録音・再生等を遠隔制御するための信号を送信するブロックである。ＴＶチューナー（１３）は、受信したＴＶ放送のデータを画像データと音声データに分離し、制御部（１１）に渡すブロックである。画像データは表示部（１４）に映し出され、音声データは音声系制御部（１８）を介してスピーカ（１９）に出力される。
【００１６】
制御部（１１）は、図１の矢印で示すとおり、携帯電話機全体の動作を制御している。表示部（１４）は、発呼あるいは着呼電話番号を表示する機能、携帯電話機が現在どのような状態にあるかを表示する機能、あるいはＴＶチューナー（１３）で受信したＴＶ放送画像を表示する機能等を有している。携帯電話機では通常表示部（１４）としてＬＣＤが採用されている。操作部（１５）には、使用者が電話番号等を入力する為の「１」〜「９」、「０」ボタンの他に、表示部（１４）に表示されているカーソル等の上下左右への移動を指示する方向選択ボタンや、入力事項を決定する決定ボタン、特定の機能を起動させるためのボタンなどが配置されている。
【００１７】
送受信部（１６）は、通話を行う際に中継基地局からの電波を受信してデータに変換する機能と、制御部（１１）からのデータを電波に変換して中継基地局へ送信する機能を有している。メモリ（１７）には、制御部（１１）が携帯電話機の各種動作を制御するための動作プログラムが格納されており、また、使用者が入力する電話番号、個人情報等を蓄積することができる。
【００１８】
音声系制御部（１８）は、通話時に使用者の送話音声をデジタルデータに変換する機能、デジタル信号として送られてきた相手からの通話音声データをアナログ音声信号に変換する機能、および着信音などの合成音をスピーカ（１９）に出力する機能を有している。スピーカ（１９）は主に着信音出力用として用いられるが、本実施形態では、ＴＶ放送受信時の音声出力用スピーカとしても使用される。レシーバ（２０）およびマイク（２１）は、携帯電話機による通話時の受話音声出力用および使用者の送話音声入力用として用いられる。
【００１９】
図２は、本実施形態の携帯電話機に内蔵するＴＶチューナー（１３）により受信した全てのチャンネルをサムネイル表示している状態における表示部と操作部の外観図であり、図３は、サムネイル表示を行う際の上記ＴＶチューナー（１３）による各チャンネルの受信タイミングチャートである。以下、本実施形態の携帯電話機に内蔵するＴＶチューナー（１３）によるサムネイル表示機能およびチャンネル選択機能について説明する。
【００２０】
使用者により、本携帯電話機のリモコン機能を用いて備え付けテレビのチャンネルを切り替えるモードが選択されると、ＴＶチューナー（１３）は、図３に示すように、例えば１ｃｈから順に各チャンネルを１フレーム分受信する。１フレーム分受信したら、受信した１フレーム分の映像を表示部４の当該チャンネル表示位置にサムネイル表示させる。その間に次のチャンネルを受信する。
【００２１】
以下、ＴＶチューナー（１３）は時分割により各チャンネルの１フレーム分を断続的に受信していき、他のチャンネルを受信している間は受信した１フレーム分の画像を表示部４の該当する表示位置に静止表示させる。そうやって１２ｃｈまで受信すると、使用者は表示部４上で全てのチャンネルのサムネイル表示を見ることが可能となる。ＴＶチューナー（１３）は再び１ｃｈから受信していき、１フレーム分受信したら、表示部４に表示されている当該チャンネルの１フレーム分の画像を更新する。従って、表示部４には、各チャンネルのフレーム画像が各表示位置においてコマ送りのように表示される。
【００２２】
なお、ＴＶチューナー（１３）を複数内蔵することにより、複数のチャンネルを同時に受信するようにすれば、表示部（１４）に表示される各チャンネルのフレーム画像のコマ送り間隔を短くすることができ、画像の動きを滑らかにすることができる。また、受信可能なチャンネル数と等しい数のＴＶチューナー（１３）を内蔵している場合には、ＴＶ視聴時のサムネイル表示をコマ送りではなく、各チャンネルを同時に受信してそれぞれ連続表示することが可能となる。
【００２３】
また、ＶＨＦ用のテレビチューナーとＵＨＦ用のテレビチューナーを備え、ＶＨＦチャンネルのサムネイル表示とＵＨＦチャンネルのサムネイル表示とを切り替え可能に構成することにより、ＶＨＦチャンネルおよびＵＨＦチャンネルの両方のチャンネル切り替えに対応することができる。また受信チャンネル数が多い場合には、サムネイル表示されるチャンネル数を複数に分割し、それらを切り替えて表示させるように制御することもできる。
【００２４】
このようにして、例えば表示部（１４）にサムネイル表示されている１ｃｈ〜１２ｃｈの画像を見ながら、使用者が操作部（１５）の方向選択ボタン（１５−１）を押下して表示されている選択カーソル（１４−１）を上下左右に移動し、所望のチャンネルに合わせた後、決定ボタン（１５−２）を押下すると、当該チャンネルが選択される。制御部（１１）は、選択された当該チャンネル情報をリモコン送信部（１２）へ送り、リモコン送信部（１２）から備え付けテレビのリモコン受信部へ送信する制御を行う。
【００２５】
図４は、本実施形態の携帯電話機のリモコン機能を用いて備え付けテレビの受信チャンネルを切り替える操作を示す概略図であり、図５は、本実施形態の携帯電話機によるテレビの受信チャンネル切り替え動作を示すフローチャートである。以下、本実施形態の動作について、図１〜図５を参照して説明する。
【００２６】
使用者が携帯電話機（１０）の電源をオンにした待ち受け状態をスタートする（Ｓ１）と、携帯電話機の制御部（１１）は操作部（１５）の操作キーが押されるのを検出する待機状態となる（Ｓ２）。使用者により操作部（１５）のキーが押されると、制御部（１１）はこれがテレビ受信チャンネル切り替え用リモコン起動キーであるか否かをキー入力部の検出結果を基に判断する。
【００２７】
キー入力がテレビ受信チャンネル切り替え用リモコン起動の場合（Ｓ２：Ｙｅｓ）には、制御部（１１）はＴＶチューナー（１３）を起動して図３に示すように、１ｃｈから１２ｃｈまで各チャンネルを受信し始め、表示部（１４）にＴＶチューナー（１３）で受信した各チャンネルの映像をサムネイル表示させる（Ｓ３）。
【００２８】
使用者は表示部（１４）にサムネイル表示されている各チャンネルの映像を見ながら、選択カーソル（１４−１）を移動させて所望のチャンネルを選択する（Ｓ４：Ｙｅｓ）。すると制御部（１１）は、該選択したチャンネル情報を赤外線データとして送出するようにリモコン送信部（１２）を制御し、リモコン送信部（１２）は、放送受信中の備え付けのＴＶ（３０）に対して、赤外線リモコンデータ（１２−１）を送信する（Ｓ５）。
【００２９】
ＴＶ（３０）は、リモコン送信部（１２）からの赤外線リモコンデータ（１２−１）をリモコン受光部（３１）を介して受信することにより、受信チャンネルを前記使用者によって選択されたチャンネルに切り替える。使用者がチャンネルを選択した後、リモコン機能を使用者が終了させるまではＴＶチューナー（１３）は各チャンネルの内容を表示部に表示させ続ける（Ｓ６：Ｎｏ）。使用者がリモコン機能を終了させると（Ｓ６：Ｙｅｓ）、携帯電話機（１０）はＴＶチューナー（１３）をＯＦＦにして再び操作キーが押されるのを待機している状態（Ｓ２）となる。
【００３０】
なお上記実施形態では、表示部（１４）にサムネイル表示されている１ｃｈ〜１２ｃｈの画像を見ながらチャンネル選択する方法として、表示部（１４）上の選択カーソルを移動させることにより表示されている映像を指定することによって所望のチャンネルを選択しているが、別の方法として、サムネイル表示されている１ｃｈ〜１２ｃｈの画像位置に、図２に示すようにチャンネル番号も表示しておき、１ｃｈから９ｃｈはそれぞれ番号ボタン「１」〜「９」を、１０ｃｈはボタン「＊」を、１１ｃｈはボタン「０」を、１２ｃｈはボタン「＃」をそれぞれ対応させておき、対応するボタンを押下することによって所望のチャンネルを選択して決定できる様にしても良い。
【図面の簡単な説明】
【００３１】
【図１】本発明の実施形態を示すＴＶ受信及びリモコン機能付き携帯電話機の構成図である。
【図２】本実施形態の携帯電話機に内蔵するＴＶチューナーにより受信した全てのチャンネルをサムネイル表示している状態を示す表示部と操作部の外観図である。
【図３】サムネイル表示を行う際の本実施形態の携帯電話機に内蔵するＴＶチューナーによる各チャンネルの受信タイミングチャートである。
【図４】本実施形態の携帯電話機のリモコン機能を用いて備え付けテレビの受信チャンネルを切り替える操作を示す概略図である。
【図５】本実施形態の携帯電話機によるテレビの受信チャンネル切り替え動作を示すフローチャートである。
【符号の説明】
【００３２】
１０  ＴＶ機能とリモコン機能を有する携帯電話機
１１  制御部
１２  リモコン送信部
１２−１  赤外線リモコンデータ
１３  ＴＶチューナー
１４  表示部
１４−１  選択カーソル
１５  操作部
１５−１  方向選択ボタン
１５−２  決定ボタン
１６  送受信部
１７  メモリ
１８  音声系制御部
１９  スピーカ
２０  レシーバ
２１  マイク
３０  備え付けテレビ
３１  リモコン受光部
【図１】
2005150831.tif 000003
【図２】
2005150831.tif 000004
【図３】
2005150831.tif 000005
【図４】
2005150831.tif 000006
【図５】
2005150831.tif 000007